(57)【要約】【課題】便座に着座する者の体格に関係なくお尻が便座に接触しないようにすることができる便座シートを提供する。【解決手段】便座の略全周に亘って載置される環状をなし、便座の内周側に対応する内縁１ａ及び外周側に対応する外縁１ｂの夫々に複数のスリット１１，１２を設けるとともに、内縁１ａ及び外縁１ｂに亘って第２スリット１３を設け、スリット１１，１１間の部片１ｃを便座の内周部へ押付け、スリット１２，１２間の部片１ｄを便座の外周部へ押付けることにより便座の上面側内周部及び外周部に亘って覆うことができるようにした。【選択図】図１
2012170587.tif 000002
【特許請求の範囲】
【請求項１】
便座の上面部に載置される便座シートにおいて、便座の内周側に対応する縁及び外周側に対応する縁の夫々に複数のスリットを設けてあり、前記便座に接触する面に接着層を有することを特徴とする便座シート。
【請求項２】
便座の上面部の略全周に亘って載置される環状をなし、前記内周側に対応する縁及び外周側に対応する縁に亘って第２スリットを有する請求項１記載の便座シート。
【請求項３】
前記第２スリット側の幅は、第２スリットと対向する側の幅よりも狭い請求項２記載の便座シート。
【発明の詳細な説明】
【技術分野】
【０００１】
本発明は便座の上面部に載置する便座シートに関する。
【背景技術】
【０００２】
洋式便器には便器本体に対して揺動が可能なＯ型、Ｕ型などの便座を備えており、便座には便座カバーが装着されるか、又は、便座シートが載置される（例えば、特許文献１、特許文献２参照）。
【０００３】
便座カバーは便座の上面部から下面部にかけて被覆し、ゴム紐及びフック等により便座に装着されるように構成されているのに対し、便座シートは便座の上面部に載置されるだけであるため、便座カバーに比べて簡易に装着、取外しができ、しかもコストを低減できる。
【０００４】
洋式便器の便座には複数の型式があり、また、型式が同じであっても便座メーカによって便座の大きさが異なるため、便座シートを各便座に共通して用いる場合、便座に対して便座シートの便座内周側が小形であるときは、便座上面部の内周側の露出量が多くなり、この内周側露出部分にお尻が接触して着座感を損なうことになる。また、便座に対して便座シートの便座内周側が大形であるときは、便座シートの内側縁部が便座の内周縁よりも突出し、便座の内周部内空間が狭くなり、便座シートが汚れ易くなる。
【０００５】
斯かる事情に鑑みて、便座の内周側となる縁に複数のスリットを設け、便座内周側が大きすぎるとき、スリット間の部片を便座側へ押付けることにより該部片を便座に接着することができるように構成された便座シートが知られている（例えば、特許文献３参照）。
【先行技術文献】
【特許文献】
【０００６】
【特許文献１】特願平１１−１７８７４８号公報
【特許文献２】実開平４−２５５９４号公報
【特許文献３】実用新案登録第３１０５０８１号公報
【発明の概要】
【発明が解決しようとする課題】
【０００７】
しかしながら、近年は体格が太り気味の傾向にあるに拘らず、従来の便座シートは便座の内周側となる縁にだけスリットが設けられ、便座の外周側となる縁は、便座の外周縁よりも突出しないように形成されているにすぎないため、標準よりも太い者が着座した場合、便座上面部の外周側露出部分にお尻が接触して着座感を損なうことになり、改善策が要望されていた。
【０００８】
本発明は斯かる事情に鑑みてなされたものであり、主たる目的は便座の内周側に対応する縁及び外周側に対応する縁の夫々に複数のスリットを設けることにより、体格に関係なくお尻が便座に接触しないようにすることができる便座シートを提供することにある。
【０００９】
また、他の目的は便座の上面部の略全周に亘って載置される環状とし、内周側に対応する縁及び外周側に対応する縁に亘って第２スリットを設けることにより、便座上面部を略全周に亘って覆うことができるに拘らず、便座に対して周方向長さが長すぎる場合は、第２スリットの縁部を切断して周方向長さを短くすることができ、また、便座に対して周方向長さが短すぎる場合は、第２スリットの両縁を離隔させて便座上面部の適正箇所に載置することができる便座シートを提供することにある。
【００１０】
また、他の目的は第２スリット側の幅を第２スリットと対向する側の幅よりも狭くすることにより、お尻が接触しない便座の前部に第２スリット部分を配置することができる便座シートを提供することにある。
【課題を解決するための手段】
【００１１】
本発明に係る便座シートは、便座の上面部に載置される便座シートにおいて、便座の内周側に対応する縁及び外周側に対応する縁の夫々に複数のスリットを設けてあり、前記便座に接触する面に接着層を有することを特徴とする。
【００１２】
この発明にあっては、大きさが異なる便座夫々の上面側内周部及び外周部に亘って覆うことができる幅を有する便座シートとすることにより、便座の大きさに関係なく該便座の上面部に載置して、便座の内周側に対応する部分は、スリット間の部片を便座の内周部へ押付けることにより該部片を便座に接着することができ、また、便座の外周側に対応する部分は、スリット間の部片を便座の外周部へ押付けることにより該部片を便座に接着することができ、便座の上面側内周部及び外周部に亘って覆うことができるため、体格に関係なくお尻が便座に接触するのを防ぐことができ、着座感を良好にできる。
【００１３】
また、本発明に係る便座シートは、便座の上面部の略全周に亘って載置される環状をなし、前記内周側に対応する縁及び外周側に対応する縁に亘って第２スリットを有することを特徴とする。
この発明にあっては、全体が環状であるため、便座の上面部を略全周に亘って覆うことができ、しかも、便座に対して周方向長さが長すぎる場合は、第２スリットの縁部を切断して周方向長さを短くすることができるため、第２スリットの縁部を重ならせることなく便座上面部の適正箇所に載置することができ、また、便座に対して周方向長さが短すぎる場合は、第２スリットの両縁を離隔させて便座上面部の適正箇所に載置することができる。
【００１４】
また、本発明に係る便座シートは、前記第２スリット側の幅は、第２スリットと対向する側の幅よりも狭いことを特徴とする。
この発明にあっては、第２スリットと対向する側の広幅部分を便座のお尻が接触する後側に配置し、便座のお尻が接触しない前部に狭幅の第２スリット部分を配置して便座の上面部分を覆うことができるため、第２スリットに影響されることなく良好な着座感を得ることができる。
【発明の効果】
【００１５】
本発明によれば、便座の内周側に対応する部分は、スリット間の部片を便座の内周部へ押付けることにより該部片を便座に接着することができ、便座の外周側に対応する部分は、スリット間の部片を便座の外周部へ押付けることにより該部片を便座に接着することができ、便座の上面側内周部及び外周部に亘って覆うことができるため、体格に関係なくお尻が便座に接触するのを防ぐことができ、着座感を良好にできる。
【００１６】
また、本発明によれば、便座の上面部を略全周に亘って覆うことができるとともに、便座に対して周方向長さが長すぎる場合でも第２スリットの縁部を重ならせることなく便座上面部の適正箇所に載置することができ、また、便座に対して周方向長さが短すぎる場合でも便座上面部の適正箇所に載置することができる。
【００１７】
また、本発明によれば、第２スリットと対向する側の広幅部分を便座のお尻が接触する後側に配置し、便座のお尻が接触しない前部に狭幅の第２スリット部分を配置して便座の上面部を覆うことができるため、第２スリットに影響されることなく良好な着座感を得ることができる。
【図面の簡単な説明】
【００１８】
【図１】本発明に係る便座シートの構成を示す平面図である。
【図２】本発明に係る便座シートの構成を示す底面図である。
【図３】図１のIII −III 線の拡大断面図である。
【図４】本発明に係る便座シートがＯ型の便座の上面部に載置された状態の断面図である。
【図５】本発明に係る便座シートがＯ型の便座の上面部に載置された状態の斜視図である。
【発明を実施するための形態】
【００１９】
以下、本発明をその実施の形態を示す図面に基づいて詳述する。図１は便座シートの構成を示す平面図、図２は便座シートの構成を示す底面図、図３は図１のIII −III 線の拡大断面図である。
【００２０】
本発明に係る便座シート１は、Ｏ型の比較的大きい便座の上面部を略全周に亘って覆うことができる大きさの環状をなし、便座の内周側に対応する内縁１ａ、及び外周側に対応する外縁１ｂの夫々に、縁１ａ，１ｂの長手方向に離隔して複数のスリット１１，１２が設けられており、周方向の一箇所には、内縁１ａ及び外縁１ｂに亘って第２スリット１３が設けられており、便座に接触する下面に接着層１４が設けられている。
【００２１】
この便座シート１は、Ｏ型の便座の外周縁に対応する大きさの外縁１ｂに対して、Ｏ型の便座の内周縁に対応する大きさの略楕円形をなす内縁１ａが第２スリット１３側へ偏倚し、第２スリット１３側の幅が、第２スリット１３と対向する側の幅よりも漸次狭くなっている。便座シート１は不織布によって柔軟に形成されており、上面が起毛され、下面に接着層１４が塗布され、複数に折重ねてコンパクトに包装することができるように構成されている。包装された便座シート１は、折重ねられているため、非環状であるが、展開された状態では第２スリット１３の縁部が重なって環状になるか、又は第２スリット１３の両縁が対向して環状になる。
【００２２】
スリット１１，１２は、内縁１ａ及び外縁１ｂの長手方向に３０乃至５０mm程度の寸法で離隔する位置に配してある。
【００２３】
不織布による便座シート１の加工は、ポリエステル等の熱可塑性繊維を互いにからませて集合してなる比較的薄肉のシート状のウェブが形成され、このウェブの一面がニードルパンチ加工により起毛された後、ウェブの他面に接着層１４が塗布され、Ｏ型の便座に対応する大きさ及び形状に形成される。このように形成された便座シート１は良好な保水性を有すると共に、柔軟性を有する。
【００２４】
接着層１４は粘着性を有するアクリル酸エステル共重合体及び熱可塑性繊維とよく相溶するメチルメタアクリレートブタジエン共重合体のエマルジョンに充填材を配合してなる合成樹脂材料が用いられる。
【００２５】
接着層１４は次のような工程によって形成される。上述した合成樹脂材料の溶液をポンプによって送り出す送出路の中間に空気源に連通する撹拌室が設けてあり、該撹拌室に空気を吹き込みつつ撹拌室に供給された前記溶液を撹拌することによって該溶液を泡立たせ、この泡状溶液を前記送出路の出口から便座シート１を構成する前記不織布の下面に塗布し、この塗布された泡状溶液をドクターブレードにより均した後、約１２０℃の乾燥室で１乃至２分の間乾燥させ、この後、乾燥室から取り出し、冷却することにより粘着性を有する状態で前記泡状溶液が硬化し、複数の微小気泡を有する接着層１４が形成される。尚、不織布の下面に塗布された溶液の一部は不織布に浸透する。
【００２６】
上述の接着層１４を形成するときの乾燥によって泡状の溶液のアクリル酸エステル共重合体とメチルメタアクリレートブタジエン共重合体とが化学反応して分子間に橋かけ結合が生じ、また、溶液の全ての泡部が微小気泡となる。この溶液のアクリル酸エステル共重合体とメチルメタアクリレートブタジエン共重合体との橋かけ結合によって接着層１４の保形性を高めることができ、該保形性によって、不織布の保形性を高めることができ、洗濯による皺を発生し難くできる。しかも、微小気泡は接着層１４の表面にも生ずるため、接着層１４を便座の上面部に押付けることによりその表面に露出する複数の微小気泡の夫々が内部空気を排出し、真空吸着作用をなし、この真空吸着作用及び前記粘着性が接着層１４の接着性を高めている。
【００２７】
図４は便座シート１がＯ型の便座Ａの上面部に載置された状態の断面図、図５は便座シート１がＯ型の便座Ａの上面部に載置された状態の斜視図である。Ｏ型の比較的大きい便座Ａの上面部を略全周に亘って覆うことができる大きさの環状に形成されている便座シート１は柔軟性を有し、複数に折重ねてコンパクトに包装されている。解包された便座シート１は折重ね状態から展開され、狭幅部分に設けられている第２スリット１３が便座Ａの前部に位置するように便座Ａの上面部の略全周に亘って載置され、環状となる。この際、便座Ａに対して周方向長さが長すぎる場合は、第２スリット１３の縁部の一方又は両方を切断して周方向長さを短くし、第２スリット１３の両縁が突合うようにする。また、便座Ａに対して周方向長さが短すぎる場合は、第２スリット１３の両縁が離隔するように便座Ａの上面部の適正箇所に載置される。
【００２８】
便座Ａの上面部の略全周に亘って載置された環状の便座シート１は、内縁１ａのスリット１１，１１の間の部片１ｃが便座Ａの内周部へわずかな力にて押付けられることにより、接着層１４の接着性、即ち、粘着性及び真空吸着作用によって夫々の部片１ｃを弁座Ａの上面側内周部に接着することができ、また、外縁１ｂのスリット１２，１２の間の部片１ｄが便座Ａの外周部へわずかな力にて押付けられることにより、接着層１４の接着性、即ち、粘着性及び真空吸着作用によって夫々の部片１ｄを便座Ａの上面側外周部に接着することができ、便座Ａの上面側内周部及び上面側外周部に亘って覆うことができるとともに、部片１ｃ，１ｄの曲げ状態を保つことができる。
【００２９】
このように便座Ａの上面側内周部及び上面側外周部に亘って覆うことができるため、体格に関係なくお尻が便座Ａに接触するのを防ぐことができ、着座感を良好にできる。
【００３０】
また、便座シート１は便座Ａのお尻が接触しない前部に第２スリット１３が位置するように載置されるため、第２スリット１３に影響されることなく良好な着座感を得ることができる。
【００３１】
汚損した便座シート１は、便座シート１の第２スリット１３側端部を掴んで持ち上げることにより容易に便座上面部から剥がすことができ、この汚損した便座シート１を洗濯機等により洗濯することができる。
【００３２】
また、接着層１４は接着性及び保形性を有する合成樹脂材料からなり、この接着層１４が便座シート１の洗濯による皺を防いでいるため、便座シート１の洗濯を繰り返した場合においても洗濯皺を生じさせることなく平坦な形状を保つことができ、洗濯した便座シート１を便座に良好に載置するこことができる。
【００３３】
尚、以上説明した実施の形態では、不織布の下面に接着層１４を全面的に設けたが、その他、接着層１４は内縁１ａのスリット１１，１１間の部片１ｃの下面及び外縁１ｂのスリット１２，１２間の部片１ｄの下面にだけ設けた構成としてもよい。
【００３４】
また、以上説明した実施の形態ではＯ型の便座の上面部に載置される便座シートについて説明したが、その他、Ｕ型の便座の上面部に載置される場合、Ｕ型の便座の上面部形状に対応して第２スリット１３の縁部を切断することにより、Ｕ型の便座の上面部に載置することも可能である。
【００３５】
また、本発明に係る便座シートは、便座の略全周に亘って載置される環状である他、Ｏ型の便座上面部の左右両側に載置される略円弧形であってもよいし、また、Ｕ型の便座の上面部に載置される略Ｕ字形であってもよい。
【符号の説明】
【００３６】
１    便座シート
１ａ  内縁
１ｂ  外縁
１１  内縁のスリット
１２  外縁のスリット
１３  第２スリット
１４  接着層
【図１】
2012170587.tif 000003
【図２】
2012170587.tif 000004
【図３】
2012170587.tif 000005
【図４】
2012170587.tif 000006
【図５】
2012170587.tif 000007